(57)【要約】【課題】監視用ＣＣＴＶシステムにおける機器の管理や保守の負担を軽減する、新たな機器の管理方法を提供する。【解決手段】複数の監視カメラ装置１と複数の監視カメラ装置にネットワーク回線で接続された中央管理装置２を有する監視用ＣＣＴＶシステムにおいて、中央管理装置２が、複数の監視カメラ装置より、複数の監視カメラ装置の各々および中央管理装置が有する複数機器の機器情報を入手し、機器情報を表示または保存または表示および保存することを特徴とする。【選択図】  図１
2004165813.tif 000002
【特許請求の範囲】
【請求項１】
複数の監視カメラ装置と該複数の監視カメラ装置にネットワーク回線で接続された中央管理装置を有する監視用ＣＣＴＶシステムにおいて、前記中央管理装置が、前記複数の監視カメラ装置より、該複数の監視カメラ装置の各々および前記中央管理装置が有する複数機器の機器情報を入手し、該機器情報を表示または保存または表示および保存することを特徴とする監視用ＣＣＴＶシステムにおける機器の管理方法。
【発明の詳細な説明】
【０００１】
【発明の属する技術分野】
本発明は、複数の監視カメラ装置と該複数の監視カメラ装置にネットワーク回線で接続された中央管理装置を有する監視用ＣＣＴＶシステムにおける機器の管理方法に関するものである。
【０００２】
【従来の技術】
複数の監視カメラ装置と該複数の監視カメラ装置にネットワーク回線で接続された中央管理装置を有する監視用ＣＣＴＶシステムにおいては、中央管理装置に備えた操作端末（パソコン）を操作して、希望するカメラ装置で撮像する映像信号をネットワーク回線経由して入手し、表示したり保存したりして、監視している。
【０００３】
この監視用ＣＣＴＶシステムにおいて、従来の、監視用ＣＣＴＶシステムの各々の装置が有する複数機器の管理（文献公知発明に係るものではない。）は、中央管理装置に備えた管理用パソコンの表示画面に、複数機器の機器情報（ＩＰアドレス等）を調べた上で、手動にて入力し、管理を行っていた。
【０００４】
また機器を追加したり変更したりした時には、現地にて追加や変更機器を調査して、追加や変更機器の情報を入手し、随時手動にて入力することで、対応してきた。
【０００５】
【発明が解決しようとする課題】
ネットワークを利用した監視用ＣＣＴＶシステムおいて、各監視カメラ装置では、ネットワーク上につながる操作端末（パソコン）がカメラ装置の監視、制御を行うが、カメラ装置の監視制御は、管理サーバを置き、操作端末（パソコン）は、標準的なブラウザソフト（インターネットエクスプローラ、ネットスケープ等）を用いて行う方法が一般に取られている。
【０００６】
そのため、操作端末（パソコン）には専用のプログラムなどが必要でない。そのため、操作端末（パソコン）の故障時には、専用ソフトの入れ替えを行わずに操作端末（パソコン）本体の交換により対応が行える。
【０００７】
また、各監視カメラ装置内の画像エンコーダ、イーサネットスイッチ（イーサネットは登録商標）、プリンタ等のネットワーク機器も一般に普及し、従来に比べシステムへの機器の追加、変更が、別の業者からも容易に行える。そのため、納入先、他メーカにて操作端末（パソコン）の追加、交換等が行われることも発生する。
【０００８】
また、各機器が有するＩＰアドレスは、機器の追加等によるネットワークの拡大等により各機器に割り付けられるアドレスの変更が発生する。その際は、各機器の変更と合わせ、当然、管理側の中央管理装置も変更しなければならない。
【０００９】
このように従来は、機器情報の管理、機器故障時の保守の負担が非常に大きくなっている。
【００１０】
本発明の目的は、監視用ＣＣＴＶシステムにおける機器の管理や保守の負担を軽減する、新たな機器の管理方法を提供することにある。
【００１１】
【課題を解決するための手段】
上記目的を達成するため、本発明は、複数の監視カメラ装置と該複数の監視カメラ装置にネットワーク回線で接続された中央管理装置を有する監視用ＣＣＴＶシステムにおいて、前記中央管理装置が、前記複数の監視カメラ装置より、該複数の監視カメラ装置の各々および前記中央管理装置が有する複数機器の機器情報を入手し、該機器情報を表示または保存または表示および保存することを特徴とする監視用ＣＣＴＶシステムにおける機器の管理方法としたことにある。
【００１２】
【発明の実施の形態】
以下、本発明の実施の形態を図を用いて説明する。
【００１３】
図１は、本発明による機器の管理方法を有する監視用ＣＣＴＶシステムの基本構成を示す図である。
【００１４】
図１において、監視用ＣＣＴＶシステムは、複数の監視カメラ装置１と複数の監視カメラ装置１にネットワーク回線で接続された中央管理装置２を有する。
【００１５】
各監視カメラ装置１は、図１では、カメラ装置１１と、カメラ装置１１に接続された画像エンコーダ１２およびカメラ制御部１３と、操作端末（パソコン）１４と、管理サーバ１５と、画像エンコーダ１２とカメラ制御部１３と操作端末（パソコン）１４と管理サーバ１５に接続されたイーサネットスィッチ１６とから構成されている。
【００１６】
また中央管理装置２は、各監視カメラ装置１，１のイーサネットスィッチ１６，１６に接続されたイーサネットスィッチ２１と、イーサネットスィッチ２１に接続された操作端末（パソコン）２２および管理用パソコン２３およびダイヤルアップルータ２４とから構成されている。
【００１７】
また図１の監視用ＣＣＴＶシステムは、さらに、ダイヤルアップルータ２４からの情報を公衆回線３に乗せて伝送し、保守センター４に転送する。保守センター４は、ダイヤルアップルータ４１と管理用パソコン４２とから構成されている。
【００１８】
図１の監視用ＣＣＴＶシステムにおいて、各監視カメラ装置１の各カメラ装置１１の監視、制御は、中央管理装置２に備えた操作端末（パソコン）２２の操作に基づき、各監視カメラ装置１に備えた管理サーバ１５が有する各監視カメラ装置１に有する情報を読みにいき、操作で指定した監視カメラ装置１に備えたカメラ制御部１３を駆動して、該監視カメラ装置１に備えたカメラ装置１１で撮像した映像信号を、イーサネットスィッチ１６およびネットワーク回線およびイーサネットスィッチ２１を経由して中央管理装置２に備えた操作端末（パソコン）２２に入力し、その表示画面に表示する。なお、カメラ装置１１で撮像した映像信号は、該カメラ装置１１と同じ監視カメラ装置１の備えた操作端末（パソコン）１４の表示画面にも表示される。
【００１９】
図１の監視用ＣＣＴＶシステムにおいて、機器情報の管理にあたっては、中央管理装置２に備えた管理用パソコン２３の制御部（ＣＰＵ）で、下記項目を行う。
【００２０】
（１）図１のように接続した後、管理用パソコン２３の制御部（ＣＰＵ）は、ＡＲＰ、ＲＡＲＰ、ＰＩＮＧ等のコマンドを利用して、各監視カメラ装置１が有する、画像エンコーダ１２とカメラ制御部１３と操作端末（パソコン）１４と管理サーバ１５の各機器が有する機器情報、および中央管理装置２が有する、操作端末（パソコン）２２と管理用パソコン２３とダイヤルアップルータ２４の各機器が有する機器情報である、ＩＰアドレスとＭＡＣアドレス（イーサネットアドレス）を入手する。ここで、ＩＰアドレスは各監視カメラ装置１毎に異なるアドレス番号が付された情報であり、ＭＡＣアドレス（イーサネットアドレス）は、機器１２，１３，１４，１５毎に異なるアドレス番号が付された情報である。
【００２１】
（２）この機器情報を、管理用パソコン２３の表示画面に表示する。図２はその表示例である。図２の表示にあたっては、管理用パソコン２３に予め図形作成用ソフトをインストールしておき、管理用パソコン２３の制御部（ＣＰＵ）が複数の監視カメラ装置の各々が有する複数機器の機器情報および中央管理装置２が有する複数機器の機器情報を入手したとき、入手した機器情報を有する機器とネットワーク回線との関係を図２のように表示し、且つ各機器のネットワーク回線の個所に、各機器の機器情報であるＩＰアドレス１０１とＭＡＣアドレス（イーサネットアドレス）１０２を、管理用パソコン２３の表示画面に、図２に図示のように表示する。
【００２２】
（３）また、同時に入手したＩＰアドレス１０１とＭＡＣアドレスのデータは、「メニュー・バー」の「ファイル」を選択し、その中の「名前を付けて保存」を選択することにより、データベース化して、管理用パソコン２３に備えたメモリに保存する。
【００２３】
（４）その後、管理用パソコン２３の制御部（ＣＰＵ）は、定期的に（例えば１時間に１回）各機器に対してコマンドを発行し、各機器の状態を確認する。
【００２４】
（５）次に、機器が追加、変更になった場合について説明する。図３は追加、変更の構成例を示す図である。図３は、図１に対して、監視カメラ装置（Ａ）１で操作端末（パソコン）１７が機器追加され、監視カメラ装置（Ｂ）１で操作端末（パソコン）１４ａが機器交換され、中央管理装置２でプリンタ２５が機種追加された例を示している。このような場合でも、管理用パソコン２３の制御部（ＣＰＵ）は、定期的に（例えば１時間に１回）各機器に対してコマンドを発行し、各機器の状態を確認するので、機器交換された操作端末（パソコン）１７および機器交換された操作端末（パソコン）１４ａおよび機種追加されたプリンタ２５を含めた図３に図示の各機器の機器情報を自動的に入手し、入手した機器情報を、その前に入手し保存した機器情報と比較することにより、機器追加、機器交換となった各機器を求め、それをもとに、新たに入手した機器情報を有する機器とネットワーク回線との関係を図４のように表示し、且つ各機器のネットワーク回線の個所に、各機器の機器情報であるＩＰアドレス１０１とＭＡＣアドレス（イーサネットアドレス）１０２を、管理用パソコン２３の表示画面に、図４に図示のように表示する。
【００２５】
（６）また、同時に入手したＩＰアドレス１０１とＭＡＣアドレスのデータは、「メニュー・バー」の「ファイル」を選択し、その中の「名前を付けて保存」を選択することにより、データベース化して、管理用パソコン２３に備えたメモリに保存する。
【００２６】
（７）次に、機器が故障した場合について説明する。中央管理装置２に備えた操作端末（パソコン）２２の制御部（ＣＰＵ）は、各機器に対して、ＰＩＮＧコマンドを定期的に発信し、その応答の有無をみているので、応答がなかったまたはなくなったら、故障と判断する。図１および図３の例では、監視カメラ装置（Ａ）１のカメラ制御部１３が故障の場合で、その場合、図２および図４に図示のように、監視カメラ装置（Ａ）１のカメラ制御部１３の個所を、例えば赤く表示する。
【００２７】
（８）また、図１および図３に図示のように、中央管理装置２にダイヤルアップルータ２４を備えたことにより、入手した機器情報をダイヤルアップルータ２４より公衆回線３に乗せて伝送し、保守センター４に転送することができ、保守センター４に備えたダイヤルアップルータ４１を経由して管理用パソコン４２に伝送し、管理用パソコン４２の表示画面に表示することができる。したがって、機器追加、機器交換となった場合も、自動的に機器追加、機器交換となった個所も含んだ表示を保守センター４に備えた管理用パソコン４２の表示画面に表示することができる。
【００２８】
本実施の形態によれば、複数の監視カメラ装置の各々および中央管理装置が有する複数機器の機器情報を、中央管理装置の管理用パソコンの表示画面に自動的に表示し、また保存することができる。また機種の追加、変更があった場合でも自動的に表示し、保存することもできる。したがって、機器の管理作業の負担を軽減することができる。
【００２９】
また本実施の形態によれば、各機器の機器情報および故障時の故障個所を、保守センターで把握することができるので、現地調査を含めた作業を軽減することができ、障害に対して迅速かつ明確な処置を期待することができる。
【００３０】
【発明の効果】
本発明によれば、監視用ＣＣＴＶシステムにおける機器の管理や保守の負担を軽減する、新たな機器の管理方法を得ることができる。
【図面の簡単な説明】
【図１】本発明による機器の管理方法を有する監視用ＣＣＴＶシステムの基本構成を示す図である。
【図２】本発明による機器の管理方法に基づく、中央管理装置の管理用パソコン上の表示画面例を示す図である。
【図３】図１の監視用ＣＣＴＶシステムの基本構成において機器の追加、変更時の構成例を示す図である。
【図４】図３の監視用ＣＣＴＶシステムの構成例における、本発明による接続機器の管理方法に基づく、中央管理装置の管理用パソコン上の表示画面例を示す図である。
【符号の説明】
１：監視カメラ装置、１１：カメラ装置、１２：画像エンコーダ、１３：カメラ制御部、１４，１４ａ：操作端末（パソコン）、１５：管理サーバ、１６：イーサネットスィッチ、１７：操作端末（パソコン）、２：中央管理装置、２１：イーサネットスィッチ、２２：操作端末（パソコン）、２３：管理用パソコン、２４：ダイヤルアップルータ、２５：プリンタ、３：公衆回線、４：保守センター、４１：ダイヤルアップルータ、４２：管理用パソコン、１０１：ＩＰアドレス、１０２：ＭＡＣアドレス。
【図１】
2004165813.tif 000003
【図２】
2004165813.tif 000004
【図３】
2004165813.tif 000005
【図４】
2004165813.tif 000006